【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
基部（１３）と、該基部（１３）に対して相対的に移動する可動部（１４）と、の間に設けられ、前記可動部（１４）を操作されると、コイルスプリング機構（５０）のコイルスプリング状にされた少なくとも１つのねじりコイル部（５５）がねじれることにより、ばね力を蓄積する前記コイルスプリング機構（５０）を備え、
前記コイルスプリング機構（５０）の内部空間（８９，１８９）に係合するか、または前記内部空間（８９，１８９）を貫通し、前記ねじりコイル部（５５）がねじれた場合に、前記コイルスプリング機構（５０）を支持する棒状の支持装置（４８）が設けられており、
さらに、前記支持装置（４８）は、少なくとも１つの回転支持装置を保持しており、前記ねじりコイル部（５５）がねじれた場合には、少なくとも１つの前記回転支持装置により、少なくとも１つの前記ねじりコイル部（５５）が支持される
ことを特徴とするばね力蓄積装置。
【請求項２】
少なくとも１つの前記ねじりコイル部（５５）が、２つの前記回転支持装置（５４，１５４）の間に配置される
ことを特徴とする請求項１のばね力蓄積装置。
【請求項３】
少なくとも１つの前記回転支持装置（５４，１５４）が、２つの前記ねじりコイル部（５５）の間に配置される
ことを特徴とする請求項１または請求項２に記載のばね力蓄積装置。
【請求項４】
少なくとも１つの前記ねじりコイル部（５５）は、少なくとも１つの前記回転支持装置（５４，１５４）にて支持される
ことを特徴とする請求項１〜請求項３の何れか１つのばね力蓄積装置。
【請求項５】
少なくとも１つの前記ねじりコイル部（５５）のコイル（５７）は、軸方向に互いに間隔（Ａ）があけられている
ことを特徴とする請求項１〜請求項４の何れか１つのばね力蓄積装置。
【請求項６】
少なくとも１つの前記ねじりコイル部（５５）における、少なくとも２つのコイル（５７）の直径（Ｄ）は異なる
ことを特徴とする請求項１〜請求項５の何れか１つのばね力蓄積装置。
【請求項７】
少なくとも１つの前記ねじりコイル部（５５）の前記コイル（５７）の前記直径（Ｄ）は、少なくとも１つの前記回転支持装置（５４，１５４）の領域から離れるにつれて徐々に大きくされる
ことを特徴とする請求項６のばね力蓄積装置。
【請求項８】
少なくとも１つの前記回転支持装置（５４，１５４）は、前記コイルスプリング機構（５０）のコイル支持部（５６）を備えており、
前記コイル支持部におけるコイル（５８）の直径（ｄ）は、少なくとも１つの前記ねじりコイル部（５５）の直径より小さく、さらに、前記コイル（５８）同士は接続して一体化され、少なくとも１つの前記ねじりコイル部（５５）にねじれによるばね力が蓄積される場合に、少なくとも１つの前記コイル支持部（５６）にかかるねじれ荷重よりも大きな荷重を蓄積することができ、
前記コイル支持部（５６）は、前記支持装置（４８）にて支持され回転可能にされる
ことを特徴とする請求項１〜請求項７の何れか１つのばね力蓄積装置。
【請求項９】
前記コイルスプリング機構（５０）は、前記ねじりコイル部（５５）と、前記コイル支持部（５６）と、が交互に並べて配置される１つのコイルスプリング（４９）により形成される
ことを特徴とする請求項８のばね力蓄積装置。
【請求項１０】
少なくとも１つの前記コイル支持部（５６）における前記コイル（５８）の軸方向に隣接するコイル間の間隔（ａ）は、少なくとも１つの前記ねじりコイル部（５５）のコイル（５７）の軸方向に隣接するコイル間の間隔より狭くされる
ことを特徴とする請求項８または請求項９のばね力蓄積装置。
【請求項１１】
少なくとも１つの前記コイル支持部（５６）の軸方向のコイル（５８）同士は互いに接触する
ことを特徴とする請求項８〜請求項１０の何れか１つのばね力蓄積装置。
【請求項１２】
少なくとも１つの前記コイル支持部（５６）の内周面には、少なくとも１つのスライド要素（５９）、及びスライド可能な被覆のうちの少なくとも一方が設けられる
ことを特徴とする請求項８〜請求項１１の何れか１つのばね力蓄積装置。
【請求項１３】
少なくとも１つの前記スライド要素（５９）の外周面（６４）には、ねじ状の突起（６２）が設けられており、前記突起（６２）は、少なくとも１つの前記コイル支持部（５６）の隣接する前記コイル（５８）の間にはまり込むようにされた
ことを特徴とする請求項１２のばね力蓄積装置。
【請求項１４】
少なくとも１つの前記スライド要素（５９）は、負荷付与リングまたは負荷付与スリーブとされており、取り付けられた状態では、少なくとも１つの前記コイル支持部（５６）の内周面に押し付けられる
ことを特徴とする請求項１２または請求項１３のばね力蓄積装置。
【請求項１５】
少なくとも１つの前記スライド要素（５９）は、少なくとも１つの前記コイル支持部（５６）の内側の断面が狭くなることを制限する
ことを特徴とする請求項１２〜請求項１４の何れか１つのばね力蓄積装置。
【請求項１６】
少なくとも１つの前記回転支持装置（５４，１５４）の内部には、回転スリーブ要素またはリングベアリング（１８０）が取り付けられる
ことを特徴とする請求項１〜請求項１５の何れか１つのばね力蓄積装置。
【請求項１７】
前記回転スリーブ要素または前記リングベアリング（１８０）は、ボールベアリング（１８２）またはローラベアリングであることを特徴とする請求項１６に記載のばね力蓄積装置。
【請求項１８】
少なくとも１つの前記回転スリーブ要素またはリングベアリング（１８０）は、前記支持装置（４８）上を軸方向にスライドされる
ことを特徴とする請求項１６または請求項１７に記載のばね力蓄積装置。
【請求項１９】
少なくとも１つの前記ねじりコイル部（５５）は、ねじれ荷重が予め規定された規定値未満であれば、少なくとも１つの前記回転スリーブ要素またはリングベアリング（１８０）との間で、半径方向に隙間（１８５）を有する
ことを特徴とする請求項１６〜請求項１８の何れか１つのばね力蓄積装置。
【請求項２０】
少なくとも２つの前記回転スリーブ要素またはリングベアリング（１８０）同士の間には、スペース要素（１８３）が、少なくとも１つ取り付けられる
ことを特徴とする請求項１６〜請求項１９の何れか１つのばね力蓄積装置。
【請求項２１】
前記スペース要素（１８３）は、前記支持装置（４８）により貫通されるばね（１８４）を備える
ことを特徴とする請求項２０のばね力蓄積装置。
【請求項２２】
棒状の前記支持装置（４８）は、ケース（３９）または当該ばね力蓄積装置（１５，１１５）の基台にベアリングで支持されて回転する回転軸（３７）によって構成される
ことを特徴とする請求項１〜請求項２１の何れか１つのばね力蓄積装置。
【請求項２３】
前記コイルスプリング機構（５０）の一方の端部（５２）領域は、前記回転軸（３７）に固定されて前記回転軸（３７）に対して回転しないようにされており、前記回転軸（３７）の少なくとも一方の端部（４０，４１）は、可動部（１４）に力を伝達する動力伝達部とされる
ことを特徴とする請求項２２のばね力蓄積装置。
【請求項２４】
当該ばね力蓄積装置は、ギア機構（２２）を伴って用いられ、
前記ギア機構は、可動部（１４）と当該ばね力蓄積装置（１５，１１５）との間、または、当該ばね力蓄積装置（１５，１１５）と基部（１３）との間に配置される
ことを特徴とする請求項１〜請求項２３の何れか１つのばね力蓄積装置。
【請求項２５】
前記ギア機構（２２）は、ワイヤ及びチェーンのうちの少なくとも一方を用いたギア機構であることを特徴とする請求項２４に記載のばね力蓄積装置。
【請求項２６】
当該ばね力蓄積装置には、前記コイルスプリング機構（５０）のねじれ応力を変更するために調整装置（７０）が設けられており、前記調整装置には、少なくとも２つの回転位置で固定可能に回転し、且つ、前記コイルスプリング機構（５０）が固定される回転ホルダ（６８，１６８）が取り付けられる
ことを特徴とする請求項１〜請求項２５の何れか１つのばね力蓄積装置。
【請求項２７】
前記調整装置（７０）には、リダクションギア機構（９０）が取り付けられる
ことを特徴とする請求項２６のばね力蓄積装置。
【請求項２８】
前記リダクションギア機構（９０）は、前記回転ホルダ（６８，１６８）を動作させるウオームギア機構であることを特徴とする請求項２７に記載のばね力蓄積装置。
【請求項２９】
前記調整装置（７０）には、さらに、前記コイルスプリング機構（５０）のその時々のねじれ応力を表示する表示装置（９５）が取り付けられる
ことを特徴とする請求項２６〜請求項２８の何れか１つのばね力蓄積装置。
【請求項３０】
前記回転ホルダ（６８，１６８）は、棒状の前記支持装置（４８）上に配置されて回転される
ことを特徴とする請求項２６〜請求項２９の何れか１つのばね力蓄積装置。
【請求項３１】
当該ばね力蓄積装置は、ベアリング機構（１０１）を備えており、
当該ばね力蓄積装置は、前記ベアリング機構（１０１）により、前記基部（１３）または可動部（１４）により回転可能に支持され、さらに、前記ベアリング機構（１０１）により、前記コイルスプリング機構（５０）の長手方向の軸と平行な回転軸を軸とした回転運動、及び、前記コイルスプリング機構（５０）の長手方向の軸と平行な軸方向の運動のうちの少なくとも一方、が可能とされる
ことを特徴とする請求項１〜請求項３０の何れか１つのばね力蓄積装置。
【請求項３２】
前記コイルスプリング機構（５０）の一方の前記端部（５２）を固定するための脱着可能な固定装置（６７）が取り付けられる
ことを特徴とする請求項１〜請求項３１の何れか１つのばね力蓄積装置。
【請求項３３】
前記固定装置（６７）は、可動部（１４）の領域に取り付けられた、ユーザが操作することにより前記コイルスプリング機構（５０）の固定及び解除のうちの少なくとも一方を行う操作装置（８８）を備える
ことを特徴とする請求項３２のばね力蓄積装置。
【請求項３４】
当該ばね力蓄積装置には輸送用の安全装置（８４）が取り付けられており、前記安全装置が設けられることにより、当該ばね力蓄積装置（１５，１１５）の輸送のためにねじれ応力がかけられた状態の前記コイルスプリング機構（５０）であっても、回転しないよう確実に固定できる
ことを特徴とする請求項１〜請求項３３の何れか１つのばね力蓄積装置。
【請求項３５】
前記可動部（１４）は、前記基部（１３）に対する相対的な高さを変更できるようにされており、前記ばね力蓄積装置（１５，１１５）は、可動部（１４）の高さを変更するときのバランサになる
ことを特徴とする請求項１〜請求項３４の何れか１つのばね力蓄積装置。
【請求項３６】
請求項１〜請求項３５の何れか１つのばね力蓄積装置（１５，１１５）であって、前記可動部（１４）が、高さ調整が可能であるばね力蓄積装置（１５，１１５）を備えることを特徴とする家具。
【請求項３７】
前記可動部（１４）は、当該家具（１０）の作業板（１１）により構成されることを特徴とする請求項３６に記載の家具。
【請求項３８】
当該家具は、オフィス家具、子供用家具、及びライティングデスクのうちの少なくとも１つであることを特徴とする請求項３６または請求項３７に記載の家具。
【手続補正２】
【補正対象書類名】明細書
【補正対象項目名】発明の名称
【補正方法】変更
【補正の内容】
【発明の名称】ばね力蓄積装置、及び家具
【手続補正３】
【補正対象書類名】明細書
【補正対象項目名】０００１
【補正方法】変更
【補正の内容】
【０００１】
本発明は、基部と、この基部に対して相対的に移動する可動部と、の間に配置され、且つ、可動部を移動させると、コイルスプリング機構における少なくとも１つのコイルスプリング状のねじりコイル部のねじれによって、ばね力が蓄積されるコイルスプリング機構を備えたばね力蓄積装置、このようなばね力蓄積装置の１つを備えた家具に関する。